(57)【特許請求の範囲】
【請求項１】
バケットの底に配置されたローターをローター回転駆動機構で回転させることにより、前記ローターに周方向へ設けられたメダル収容部に、前記バケット内のメダルを収容させて前記バケットから前記メダルを排出するメダル払い出し装置において、
前記ローター上の中心にトップローターを設け、
このトップローターを回転可能に支持する支持軸の外周に前記ローター回転駆動機構のローター軸を配置し、
前記トップローターを前記ローターと反対方向へ回転させるトップローター回転駆動機構を、前記ローター軸に取り付けられたギアと前記トップローターの内周に設けられた歯とに噛み合い、前記支持軸にステーを介して支持されたギアで構成し、
前記トップローターを、前記ローターを回転させると同時に前記ローターと反対方向へ回転させる、
ことを特徴とするメダル払い出し装置。
【発明の詳細な説明】
【技術分野】
【０００１】
この発明は、スロットマシンなどの遊技機において、入賞時に所定枚数のメダルを払い出すためのメダル払い出し装置に関するものである。
【背景技術】
【０００２】
従来のメダル払い出し装置は、バケットの底に配置されたローターをローター回転駆動機構で回転させることにより、ローターに周方向へ設けられたメダル収容部に、バケット内のメダルを収容させてバケットからメダルを１枚ずつ順次排出する構成とされている。
【特許文献１】特許第３１８７６９９号明細書
【発明の開示】
【発明が解決しようとする課題】
【０００３】
従来の上記したメダル払い出し装置は、単にローターを回転させることにより、ローターのメダル収容部内にメダルを収容させて順次排出する構成とされている。
したがって、バケット内のメダルが相互に重なり、メダルがローターのメダル収容部内に落ち込まないブリッジ状態が発生すると、バケット内のメダルはブリッジ状態を維持しながらローターとともに回転するので、メダルがメダル収容部内に効率よく落ち込まず、メダルを効率よく排出することができなくなる。
【課題を解決するための手段】
【０００４】
この発明は、以下のような発明である。
（１）バケットの底に配置されたローターをローター回転駆動機構で回転させることにより、前記ローターに周方向へ設けられたメダル収容部に、前記バケット内のメダルを収容させて前記バケットから前記メダルを排出するメダル払い出し装置において、前記ローター上の中心にトップローターを設け、このトップローターを回転可能に支持する支持軸の外周に前記ローター回転駆動機構のローター軸を配置し、前記トップローターを前記ローターと反対方向へ回転させるトップローター回転駆動機構を、前記ローター軸に取り付けられたギアと前記トップローターの内周に設けられた歯とに噛み合い、前記支持軸にステーを介して支持されたギアで構成し、前記トップローターを、前記ローターを回転させると同時に前記ローターと反対方向へ回転させることを特徴とする。
【発明の効果】
【０００５】
この発明によれば、ローター上の中心にトップローターを設け、このトップローターをローターと反対方向へ回転させるトップローター回転駆動機構を設け、トップローターを、ローターを回転させると同時にローターと反対方向へ回転させたので、ローターとトップローターとの間に常時相対的な回転速度差が発生する。
したがって、ローターとトップローターとの間の相対的な回転速度差によってブリッジ状態のメダルが崩落し、メダルがメダル収容部内に効率よく落ち込むことにより、メダルを効率よく排出することができる。
【発明を実施するための最良の形態】
【０００６】
以下、この発明の実施例を図に基づいて説明する。
図１はこの発明の第１実施例であるメダル払い出し装置を右上側から見た外観斜視図、図２は図１のＡ−Ａ線による断面図、図３は図１のＢ−Ｂ線による断面図、図４は図１のＣ−Ｃ線による断面図、図５は図１に示したメダル払い出し装置の分解斜視図、図６は図５に示した要部の分解斜視図、図７は図６の各部品を下側から見た分解斜視図、図８は図６に示したギアドモーターのＤ−Ｄ線による部分縦断面斜視図、図９は図６に示した各部品を組み立てた状態の斜視図、図１０はメダル補給口開閉蓋の開放状態を示す説明図、図１１はメダル排出開口開閉フラッパーの開放状態を示す説明図である。
【０００７】
図１〜図５において、メダル払い出し装置Ｍは、アンダーベース１１と、このアンダーベース１１に取り付けられるメインベース２１と、このメインベース２１上に設けられる（配置される）平面視円形のローター３１と、メインベース２１に取り付けられ、ローター３１を回転させるローター回転駆動機構４１と、メインベース２１上の中心に設けられる（配置される）トップローター６１と、メインベース２１に取り付けられ、トップローター６１を回転させるトップローター回転駆動機構７１と、メインベース２１上のローター３１の周囲に配置される平面視円環状のガイドホイール１０１と、アンダーベース１１上にメインベース２１を覆うように取り付けられ、ローター３１の上方にメダル収納部１１２を形成するバケット１１１と、アンダーベース１１の左側に、バケット１１１の左側および前後からはみ出さないようにバケット１１１の下に位置させて取り付けられるレンズ部材１２１と、アンダーベース１１の右側に、バケット１１１の右側および前後からはみ出さないようにバケット１１１の下に配置されるストッカー１３１と、バケット１１１の周壁、例えば、後側周壁の上側部分に設けられたメダル補給口１１４を開閉可能なメダル補給口開閉蓋１４１と、バケット１１１（メダル収納部１１２）内の所定量以上のメダルを排出するバケット１１１の周壁、例えば、右側の左側へ下降する周壁（傾斜周壁）に設けられたメダル排出開口１１５を開閉可能なメダル排出開口開閉フラッパー１５１とで構成されている。
【０００８】
上記したアンダーベース１１の上面には、図５に示すように、後側から前側へ上昇する平面を形成するように、メインベース２１を取り付ける取付部１２が左右に設けられている。
【０００９】
次に、メインベース２１には、図４に示すように、ローター３１が回転しながらメダル収容部３３で搬送してくる平面視円形のメダルを排出するメダル排出シュート２２が前側に設けられている。
【００１０】
次に、平面視円形のローター３１には、例えば、図６に示すように、上側の中心に平面視円形の凹部３２と、この凹部３２を中心とした円周上に平面視円形をした８つのメダル収容部３３とが設けられている。
【００１１】
次に、ローター回転駆動機構４１は、図４、図６および図７に示すように、メインベース２１の下側に取り付けられたギアドモーター４２と、ローター３１の凹部３２の中心に取り付けられ、ギアドモーター４２のローター軸５１が一体的に回転するように係合するギア５３とで構成されている。
上記したギアドモーター４２は、図８に示すように、メインベース２１の下側に取り付けられる箱体４３と、この箱体４３の外側に取り付けられたモーター４４と、このモーター４４の箱体４３内に位置する回転軸に取り付けられたモーターギア４５と、箱体４３内に回転可能に取り付けられ、下側がモーターギア４５に噛み合う大径ギア部４７で、上側が小径ギア部４８とされた伝達ギア４６と、箱体４３の下側に下側が固定され、箱体４３から上側へ突出した上端から軸方向へねじ穴５０（図６をも参照）が設けられた支持軸４９と、この支持軸４９で回転可能に支持されるとともに、伝達ギア４６の小径ギア部４８に噛み合うギア部５２が設けられ、上部が箱体４３から突出するローター軸５１とで構成されている。
そして、支持軸４９およびローター軸５１の上端部分には、軸方向へ所定長のＤカット部分が設けられている。
【００１２】
次に、トップーロータ６１は、図４、図６および図７に示すように、円錐台形状とされ、内側の下側に周回する歯６２が設けられている。
【００１３】
次に、トップーローター回転駆動機構７１は、図６および図７に示すように、ローター回転駆動機構４１と、ローター３１の凹部３２内にギアドモーター４２のギア５３が貫通するように設けられる下側ステー７２と、この下側ステー７２と対向する上側ステー７３と、両ステー７２，７３の間に、例えば、円周方向に１２０度分割で支持されるピニオンシャフト７４と、この各ピニオンシャフト７４に回転可能に支持され、ギア５３とトップローター６１の歯６２とに噛み合うギア７５と、ギアドモーター４２の支持軸４９に設けられたねじ穴５０に螺合し、トップローター６１をローター３１の凹部３２内に取り付けるとともに、ギア５３とギア７５との噛み合った状態を維持する段付きねじ７６と、この段付きねじ７６とトップローター６１との間に配置されるワッシャー７７とで構成されている。
【００１４】
次に、バケット１１１は、アンダーベース１１上にメインベース２１を覆い、アンダーベース１１の左右上方へはみ出すように取り付けられ、ローター３１の上方にメダル収納部１１２を形成するものである。
そして、バケット１１１には、メダル収納部１１２内の所定量以上のメダルをストッカー１３１内へ排出するオーバーフロー路１１３と、後側周壁の上側部分に位置させたメダル補給口１１４と、図３に示すように、右側の左側へ下降する周壁（傾斜周壁）にオーバーフロー路１１３の入口よりも高さｈだけ低く位置させたメダル排出開口１１５とが設けられている。
【００１５】
次に、ストッカー１３１には、図３に示すように、オーバーフロー路１１３およびメダル排出開口１１５からのメダルを通過させる開口１３２が上側に設けられるとともに、収容したメダル量を検出するメダル検出センサー１３６が設けられている。
そして、メダル検出センサー１３６の出力端子１３７は、図３に示すように、バケット１１１の側面に設けた接続端子１１７に接続、分離可能とされている。
【００１６】
次に、メダル補給口開閉蓋１４１は、図１に示すように、下側がバケット１１１に回動可能に取り付けられる。
そして、メダル補給口開閉蓋１４１には、図１に示すように、開放状態を維持するために前側の左右へ突出した開放位置用ストッパー１４２と、図５に示すように、開放させるための把持部を兼ねた閉成状態を維持するために後側の左右へ突出した閉成位置用ストッパー１４３とが設けられている。
【００１７】
次に、メダル排出開口開閉フラッパー１５１は、回動することによってメダル排出開口１１５を開閉できるようにバケット１１１に取り付けられ、バケット１１１から前側へ突出する軸１５２（図５参照）にメダル排出開口開閉フラッパー１５１を開閉させるためのフラッパーダイヤル１５６が取り付けられている。
【００１８】
次に、動作について説明する。
まず、メダルの払い出しについて説明する。
図６において、ギアドモーター４２を駆動させることによってローター３１を時計方向へ回転させると、ギア５３に噛み合う各ギア７５が反時計方向へ回転することにより、トップローター６１も反時計方向へ回転する。
したがって、バケット１１１内のメダルがブリッジ状態になっていても、ローター３１とトップローター６１とが反対方向へ回転することによってローター３１とトップローター６１との間に相対的な回転速度差が発生し、ブリッジ状態のメダルが崩落し、メダルがメダル収容部３３内に落ち込み、メダルを１枚ずつメダル排出シュート２２から排出することができる。
そして、図示を省略したメダル枚数検出センサーの出力に基づき、メダルの排出枚数が設定枚数になると、ギアドモーター４２が停止することにより、メダルの排出を完了する。
【００１９】
次に、メダル補給口１１４の利用について説明する。
まず、図１に示すように、バケット１１１のメダル補給口１１４を閉成している状態のメダル補給口開閉蓋１４１の、閉成位置用ストッパー１４３を把持してメダル補給口開閉蓋１４１を回動させることにより、図１０に示すように、メダル補給口１１４を開放させる。
そして、メダル補給口開閉蓋１４１の上に、例えば、図示を省略したメダル補給ダクトの端を載せ、メダル補給ダクトの端をバケット１１１内へ臨ませることにより、メダル補給ダクトからのメダルをバケット１１１（メダル収納部１１２）内へ供給することができる。
【００２０】
次に、オーバーフロー路１１３およびメダル排出開口１１５の利用について説明する。
まず、遊技をしている状態では、図示を省略したメダル投入口に投入されたメダルは所定の誘導路（図示省略）を介しバケット１１１（メダル収納部１１２）内の前側へと供給される。
したがって、バケット１１１内へ供給されたメダルが所定量以上になると、バケット１１１の内側で前側に設けられたオーバーフロー路１１３を介してメダルがストッカー１３１へ排出される。
【００２１】
また、所定量以上のメダルをバケット１１１からストッカー１３１へ排出させる場合、フラッパーダイヤル１５６を把持して回動させることにより、図１１に示すように、メダル排出開口開閉フラッパー１５１を回動させてメダル排出開口１１５を開放させると、メダル排出開口１１５がオーバーフロー路１１３の入口よりも低い位置に設けられているので、メダル排出開口１１５からストッカー１３１へメダルを速く排出させることができる。
なお、メダル排出開口１１５がオーバーフロー路１１３の入口よりも低い位置に設けられているので、メダル排出開口１１５をメダル排出開口開閉フラッパー１５１で開閉することにより、バケット１１１のメダル収納枚数を可変とすることができる。
【００２２】
そして、ストッカー１３１内へ排出されたメダルが所定量以上となり、メダルがメダル検出センサー１３６に接触することにより、ストッカー１３１内に排出されたメダルが所定量に達した信号が、メダル検出センサー１３６から出力端子１３７、接続端子１１７を介して、図示を省略したコネクタへと供給される。
したがって、ストッカー１３１内に排出されたメダルが所定量に達したことを知ることができ、対応策をとることができる。
【００２３】
上述したように、この発明の第１実施例によれば、ローター３１上の中心にトップローター６１を設け、このトップローター６１をローター３１と反対方向へ回転させるトップローター回転駆動機構７１を設けたので、ローター３１とトップローター６１との間に相対的な回転速度差が発生する。
したがって、ローター３１とトップローター６１との間の相対的な回転速度差によってブリッジ状態のメダルが崩落し、メダルがメダル収容部３３内に効率よく落ち込むことにより、メダルを効率よく排出することができる。
【００２４】
また、バケット１１１の周壁上側部分にメダル補給口１１４を設けるとともに、このメダル補給口１１４を開閉可能なメダル補給口開閉蓋１４１を設けたので、例えば、メダル補給口開閉蓋１４１を閉じた状態で梱包し、搬送することでメダル補給口開閉蓋１４１の出っ張り部分がなくなることにより、搬送時などにおけるメダル補給口開閉蓋１４１の損傷、破損を防止することができる。
そして、メダル補給口１１４は設置状態における周囲のスペースを考慮して、すなわち、メダル補給口開閉蓋１４１を開放できるスペースがあれば、メダル補給口開閉蓋１４１を開放させてメダル補給口１４１を開放させ、メダル補給口１１４を利用することができる。
【００２５】
また、バケット１１１内の所定量以上のメダルをストッカー１３１へ排出するメダル排出開口１１５をバケット１１１の周壁に設けるとともに、メダル排出開口１１５を開閉可能なメダル排出開口開閉フラッパー１５１を設けたので、メダル排出開口開閉フラッパー１５１を回動させてメダル排出開口１１５を開放させることにより、所定量以上のメダルをメダル排出開口１１５からバケット１１１外のストッカー１３１内へ速く排出させることができる。
そして、メダル排出開口１１５をオーバーフロー路１１３の入口よりも低く設定したので、バケット１１１のメダル収納枚数を可変とすることができる。
さらに、ストッカー１３１に収容したメダル量を検出するメダル検出センサー１３６を設けるとともに、このメダル検出センサー１３６の出力端子１３７をバケット１１１に設けた接続端子１１７に接続、分離可能としたので、信号系統のコネクタを一元化できることにより、配線処理が簡素化できるとともに、信号系統のコネクタの接続、分離が簡単に作業性よくできる。
【００２６】
そして、ギアドモーター４２は支持軸４９とローター軸５１とを備えているので、ローター軸５１で１つの系統を回転駆動でき、支持軸４９とローター軸５１との間に所定のギアを配置することによってさらに別の系統を回転駆動できることにより、コンパクトな構成で２系統を回転駆動することができる。
【００３８】
上記した実施例では、接続端子１１７をバケット１１１に設けた例を示したが、接続端子をアンダーベース１１に設け、その接続端子を出力端子１３７の位置まで延ばしたり、または、出力端子１３７を接続端子の位置まで延ばしてもよい。
【００３９】
この発明をスロットマシンなどの遊技機におけるメダル払い出し装置に適用させたが、同種の硬貨をメダルとすることにより、硬貨出金機などにも適用できる。
【図面の簡単な説明】
【００４０】
【図１】この発明の第１実施例であるメダル払い出し装置を右上側から見た外観斜視図である。
【図２】図１のＡ−Ａ線による断面図である。
【図３】図１のＢ−Ｂ線による断面図である。
【図４】図１のＣ−Ｃ線による断面図である。
【図５】図１に示したメダル払い出し装置の分解斜視図である。
【図６】図５に示した要部の分解斜視図である。
【図７】図６の各部品を下側から見た分解斜視図である。
【図８】図６に示したギアドモーターのＤ−Ｄ線による部分縦断面斜視図である。
【図９】図６に示した各部品を組み立てた状態の斜視図である。
【図１０】メダル補給口開閉蓋の開放状態を示す説明図である。
【図１１】メダル排出開口開閉フラッパーの開放状態を示す説明図である。
【符号の説明】
【００４１】
Ｍ      メダル払い出し装置
１１    アンダーベース
１２    取付部
２１    メインベース
２２    メダル排出シュート
３１    ローター
３２    凹部
３３    メダル収容部
４１    ローター回転駆動機構
４２    ギアドモーター
４３    箱体
４４    モーター
４５    モーターギア
４６    伝達ギア
４７    大径ギア部
４８    小径ギア部
４９    支持軸
５０    ねじ穴
５１    ローター軸
５２    ギア部
５３    ギア
６１    トップローター
６２    歯
７１    トップローター回転駆動機構
７２    下側ステー
７３    上側ステー
７４    ピニオンシャフト
７５    ギア
７６    段付きねじ
７７    ワッシャー
１０１  ガイドホイール
１１１  バケット
１１２  メダル収納部
１１３  オーバーフロー路
１１４  メダル補給口
１１５  メダル排出開口
１１７  接続端子
１２１  レンズ部材
１３１  ストッカー
１３２  開口
１３６  メダル検出センサー
１３７  出力端子
１４１  メダル補給口開閉蓋
１４２  開放位置用ストッパー
１４３  閉成位置用ストッパー
１５１  メダル排出開口開閉フラッパー
１５２  軸
１５６  フラッパーダイヤル
ｈ      高さ
【要約】
【課題】  バケット内のメダルにブリッジ状態を発生させることなく、所定枚数のメダルを効率よく排出ことのできるメダル払い出し装置を提供する。
【解決手段】  バケット１１１の底に配置されたローター３１をローター回転駆動機構４１で回転させることにより、ローター３１に周方向へ設けられたメダル収容部３３に、バケット１１１内のメダルを収容させてバケット１１１からメダルを排出するメダル払い出し装置Ｍにおいて、ローター３１上の中心にトップローター６１を設け、このトップローター６１をトップローター回転駆動機構７１でローター３１と反対方向へ回転させる。
【選択図】  図６
【図１】
0003710807.tif 000002
【図２】
0003710807.tif 000003
【図３】
0003710807.tif 000004
【図４】
0003710807.tif 000005
【図５】
0003710807.tif 000006
【図６】
0003710807.tif 000007
【図７】
0003710807.tif 000008
【図８】
0003710807.tif 000009
【図９】
0003710807.tif 000010
【図１０】
0003710807.tif 000011
【図１１】
0003710807.tif 000012